【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
ワイヤレス通信においてバッファステータスレポート（ＢＳＲ）を通信するための方法であって、
デバイスにおいて、前記デバイスから１つまたは複数の他のデバイスに通信するための、前記デバイスのバッファに記憶された複数のメッセージの各々のサイズを示すＢＳＲを生成することと、
前記複数のメッセージのうちの１つまたは複数を前記１つまたは複数の他のデバイスに通信するためのリソースを要求するために前記ＢＳＲを基地局に送信することと
を備える方法。
【請求項２】
前記ＢＳＲは、前記デバイスの前記バッファに記憶された前記複数のメッセージの数を示すインジケーションを含む、請求項１に記載の方法。
【請求項３】
前記ＢＳＲは、前記デバイスの前記バッファに記憶された前記複数のメッセージの各々についてのメッセージタイプを含む、請求項１に記載の方法。
【請求項４】
前記ＢＳＲは、前記ＢＳＲにおいて論理チャネルグループ識別子を指定することに少なくとも部分的に基づいて前記メッセージタイプを示す、請求項３に記載の方法。
【請求項５】
複数のメッセージタイプへの複数の論理チャネルグループ識別子のマッピングを受信することと、
前記ＢＳＲにおいて示すための、前記マッピングにおける前記メッセージタイプに対応する前記論理チャネルグループ識別子を前記複数の論理チャネルグループ識別子から選択することと
をさらに備える、請求項４に記載の方法。
【請求項６】
前記マッピングを受信することは、前記デバイスに記憶されたにおいて構成から前記マッピングを取得すること、または、前記基地局から前記マッピングを受信することのうちの少なくとも１つを備える、請求項５に記載の方法。
【請求項７】
前記デバイスから前記基地局に前記マッピングを送信することをさらに備える、請求項５に記載の方法。
【請求項８】
前記ＢＳＲは、前記複数のメッセージの各々についてのターゲットレンジ、ターゲット伝送電力、ターゲット優先度、またはターゲットレイテンシのうちの少なくとも１つを含む、請求項１に記載の方法。
【請求項９】
前記バッファ中の前記複数のメッセージの各々の前記サイズを示す前記ＢＳＲは、前記バッファ中の前記メッセージの各々に関する優先度を示し、ここで、最も高い優先度を有する前記メッセージの前記サイズが、前記ＢＳＲにおいて最初にリストされる、請求項１に記載の方法。
【請求項１０】
前記複数のメッセージのうちの前記１つまたは複数を前記１つまたは複数の他のデバイスに通信するためのリソース割振りを前記基地局から受信することをさらに備え、ここにおいて、前記リソース割振りは、前記ＢＳＲに少なくとも部分的に基づく、請求項１に記載の方法。
【請求項１１】
前記複数のメッセージのうちの前記１つまたは複数を前記１つまたは複数の他のデバイスに通信することは、前記リソース割振りに基づいて、前記複数のメッセージのうちの前記１つまたは複数を、サイドリンク通信を使用してユーザ機器（ＵＥ）またはアップリンク通信を使用して前記基地局のうちの少なくとも１つに送信することを備える、請求項１０に記載の方法。
【請求項１２】
ワイヤレス通信においてバッファステータスレポート（ＢＳＲ）を通信するための装置であって、
バッファに記憶された複数のメッセージのうちの１つまたは複数を１つまたは複数のデバイスに通信するための、前記複数のメッセージの各々のサイズを示すＢＳＲを生成するための手段と、
前記複数のメッセージのうちの前記１つまたは複数を前記１つまたは複数のデバイスに通信するためのリソースを要求するために前記ＢＳＲを基地局に送信するための手段と
を備える装置。
【請求項１３】
前記ＢＳＲは、前記バッファに記憶された前記複数のメッセージの数を示すインジケーションを含む、請求項１２に記載の装置。
【請求項１４】
前記ＢＳＲは、前記バッファに記憶された前記複数のメッセージの各々についてのメッセージタイプを含み、
前記ＢＳＲは、前記ＢＳＲにおいて論理チャネルグループ識別子を指定することに少なくとも部分的に基づいて前記メッセージタイプを示す、請求項１２に記載の装置。
【請求項１５】
ワイヤレス通信においてバッファステータスレポート（ＢＳＲ）を通信するためのコンピュータ実行可能なコードを記憶したコンピュータ読取可能な媒体であって、前記コードは、
デバイスにおいて、前記デバイスから１つまたは複数の他のデバイスに通信するための、前記デバイスのバッファに記憶された複数のメッセージの各々のサイズを示すＢＳＲを生成するためのコードと、
前記複数のメッセージのうちの１つまたは複数を前記１つまたは複数の他のデバイスに通信するためのリソースを要求するために前記ＢＳＲを基地局に送信するためのコードと
を備える、コンピュータ読取可能な媒体。
【手続補正２】
【補正対象書類名】明細書
【補正対象項目名】００７２
【補正方法】変更
【補正の内容】
【００７２】
[0077]先の説明は、当業者による、本明細書に説明された様々な態様の実践を可能にするために提供される。これらの態様に対する様々な修正は、当業者には容易に明らかとなり、本明細書に定義されている包括的な原理は、他の態様に適用され得る。ゆえに、特許請求の範囲は、本明細書に示された態様に限られるよう意図されたものではなく、特許請求の範囲における文言と一致する全範囲が付与されるべきものであり、ここにおいて、単数形の要素への参照は、別途明記されていない限り、「１つおよび１つのみ」を意味するよう意図されておらず、むしろ「１つまたは複数」を意味する。別途明記されていない限り、「何らかの／いくつかの」という用語は、１つまたは複数を指す。当業者に知られているかかまたは後に知られることとなる、本明細書で説明された様々な態様の要素と構造的および機能的に同等なものはすべて、参照によって本明細書に明確に組み込まれ、特許請求の範囲に包含されるよう意図される。さらに、本明細書に開示されているものはいずれも、そのような開示が特許請求の範囲に明示的に記載されているかどうかに関わらず、公に献呈されるよう意図されない。いずれの請求項の要素も、その要素が「〜ための手段」という表現を使用して明記されていない限り、ミーンズプラスファンクション（means plus function）として解釈されるべきではない。
以下に本願発明の当初の特許請求の範囲に記載された発明を付記する。
［Ｃ１］
［０００１］
ワイヤレス通信においてバッファステータスレポート（ＢＳＲ）を通信するための方法であって、
デバイスにおいて、前記デバイスから１つまたは複数の他のデバイスに通信するための、前記デバイスのバッファに記憶された複数のメッセージの各々のサイズを示すＢＳＲを生成することと、
前記複数のメッセージのうちの１つまたは複数を前記１つまたは複数の他のデバイスに通信するためのリソースを要求するために前記ＢＳＲを基地局に送信することと
を備える方法。
［Ｃ２］
［０００２］
前記ＢＳＲは、前記デバイスの前記バッファに記憶された前記複数のメッセージの数を示すインジケーションを含む、Ｃ１に記載の方法。
［Ｃ３］
［０００３］
前記ＢＳＲは、前記デバイスの前記バッファに記憶された前記複数のメッセージの各々についてのメッセージタイプを含む、Ｃ１に記載の方法。
［Ｃ４］
［０００４］
前記ＢＳＲは、前記ＢＳＲにおいて論理チャネルグループ識別子を指定することに少なくとも部分的に基づいて前記メッセージタイプを示す、Ｃ３に記載の方法。
［Ｃ５］
［０００５］
複数のメッセージタイプへの複数の論理チャネルグループ識別子のマッピングを受信することと、
前記ＢＳＲにおいて示すための、前記マッピングにおける前記メッセージタイプに対応する前記論理チャネルグループ識別子を前記複数の論理チャネルグループ識別子から選択することと
をさらに備える、Ｃ４に記載の方法。
［Ｃ６］
［０００６］
前記マッピングを受信することは、前記デバイスにおいて構成に記憶されたものから前記マッピングを取得すること、または、前記基地局から前記マッピングを受信することのうちの少なくとも１つを備える、Ｃ５に記載の方法。
［Ｃ７］
［０００７］
前記デバイスから前記基地局に前記マッピングを送信することをさらに備える、Ｃ５に記載の方法。
［Ｃ８］
［０００８］
前記ＢＳＲは、前記複数のメッセージの各々についてのターゲットレンジ、ターゲット伝送電力、ターゲット優先度、またはターゲットレイテンシのうちの少なくとも１つを含む、Ｃ１に記載の方法。
［Ｃ９］
［０００９］
前記ＢＳＲに少なくとも部分的に基づいて、前記複数のメッセージのうちの前記１つまたは複数を前記１つまたは複数の他のデバイスに通信するためのリソース割振りを前記基地局から受信することをさらに備える、Ｃ１に記載の方法。
［Ｃ１０］
［００１０］
前記複数のメッセージのうちの前記１つまたは複数を前記１つまたは複数の他のデバイスに通信することは、前記リソース割振りに基づいて、前記複数のメッセージのうちの前記１つまたは複数を、サイドリンク通信を使用してユーザ機器（ＵＥ）またはアップリンク通信を使用して前記基地局のうちの少なくとも１つに送信することを備える、Ｃ９に記載の方法。
［Ｃ１１］
［００１１］
ワイヤレス通信においてバッファステータスレポート（ＢＳＲ）を通信するための装置であって、
トランシーバと、
前記トランシーバを介して送信するための１つまたは複数のメッセージを含むバッファを記憶するように構成されたメモリと、
前記トランシーバおよび前記メモリと通信可能に結合された少なくとも１つのプロセッサと
を備え、前記少なくとも１つのプロセッサは、
前記バッファに記憶された複数のメッセージのうちの１つまたは複数を１つまたは複数のデバイスに通信するための、前記複数のメッセージの各々のサイズを示すＢＳＲを生成することと、
前記複数のメッセージのうちの前記１つまたは複数を前記１つまたは複数のデバイスに通信するためのリソースを要求するために前記ＢＳＲを基地局に送信することと
を行うように構成される、装置。
［Ｃ１２］
［００１２］
前記ＢＳＲは、前記バッファに記憶された前記複数のメッセージの数を示すインジケーションを含む、Ｃ１１に記載の装置。
［Ｃ１３］
［００１３］
前記ＢＳＲは、前記バッファに記憶された前記複数のメッセージの各々についてのメッセージタイプを含む、Ｃ１１に記載の装置。
［Ｃ１４］
［００１４］
前記ＢＳＲは、前記ＢＳＲにおいて論理チャネルグループ識別子を指定することに少なくとも部分的に基づいて前記メッセージタイプを示す、Ｃ１３に記載の装置。
［Ｃ１５］
［００１５］
前記少なくとも１つのプロセッサは、
複数のメッセージタイプへの複数の論理チャネルグループ識別子のマッピングを受信することと、
前記ＢＳＲにおいて示すための、前記マッピングにおける前記メッセージタイプに対応する前記論理チャネルグループ識別子を前記複数の論理チャネルグループ識別子から選択することと
を行うようにさらに構成される、Ｃ１４に記載の装置。
［Ｃ１６］
［００１６］
前記少なくとも１つのプロセッサは、前記メモリにおいて構成に記憶されたものから前記マッピングを取得すること、または、前記基地局から前記マッピングを受信することのうちの少なくとも１つによって、前記マッピングを受信するように構成される、Ｃ１５に記載の装置。
［Ｃ１７］
［００１７］
前記少なくとも１つプロセッサは、前記基地局に前記マッピングを送信するようにさらに構成される、Ｃ１５に記載の装置。
［Ｃ１８］
［００１８］
前記ＢＳＲは、前記複数のメッセージの各々についてのターゲットレンジ、ターゲット伝送電力、ターゲット優先度、またはターゲットレイテンシのうちの少なくとも１つを含む、Ｃ１１に記載の装置。
［Ｃ１９］
［００１９］
前記少なくとも１つのプロセッサは、前記ＢＳＲに少なくとも部分的に基づいて、前記複数のメッセージのうちの前記１つまたは複数を前記１つまたは複数のデバイスに通信するためのリソース割振りを前記基地局から受信するように構成される、Ｃ１１に記載の装置。
［Ｃ２０］
［００２０］
前記少なくとも１つのプロセッサは、サイドリンク通信を使用してユーザ機器（ＵＥ）またはアップリンク通信を使用して前記基地局のうちの少なくとも１つに前記複数のメッセージのうちの前記１つまたは複数を、前記リソース割振りに基づいて、送信することで、前記複数のメッセージのうちの前記１つまたは複数を前記１つまたは複数のデバイスに通信するように構成される、Ｃ１９に記載の装置。
［Ｃ２１］
［００２１］
ワイヤレス通信においてバッファステータスレポート（ＢＳＲ）を通信するための装置であって、
バッファに記憶された複数のメッセージのうちの１つまたは複数を１つまたは複数のデバイスに通信するための、前記複数のメッセージの各々のサイズを示すＢＳＲを生成するための手段と、
前記複数のメッセージのうちの前記１つまたは複数を前記１つまたは複数のデバイスに通信するためのリソースを要求するために前記ＢＳＲを基地局に送信するための手段と
を備える装置。
［Ｃ２２］
［００２２］
前記ＢＳＲは、前記バッファに記憶された前記複数のメッセージの数を示すインジケーションを含む、Ｃ２１に記載の装置。
［Ｃ２３］
［００２３］
前記ＢＳＲは、前記バッファに記憶された前記複数のメッセージの各々についてのメッセージタイプを含む、Ｃ２１に記載の装置。
［Ｃ２４］
［００２４］
前記ＢＳＲは、前記ＢＳＲにおいて論理チャネルグループ識別子を指定することに少なくとも部分的に基づいて前記メッセージタイプを示す、Ｃ２３に記載の装置。
［Ｃ２５］
［００２５］
前記ＢＳＲは、前記複数のメッセージの各々についてのターゲットレンジ、ターゲット伝送電力、ターゲット優先度、またはターゲットレイテンシのうちの少なくとも１つを含む、Ｃ２１に記載の装置。
［Ｃ２６］
［００２６］
ワイヤレス通信においてバッファステータスレポート（ＢＳＲ）を通信するためのコンピュータ実行可能なコードを記憶したコンピュータ読取可能な媒体であって、前記コードは、
デバイスにおいて、前記デバイスから１つまたは複数の他のデバイスに通信するための、前記デバイスのバッファに記憶された複数のメッセージの各々のサイズを示すＢＳＲを生成するためのコードと、
前記複数のメッセージのうちの１つまたは複数を前記１つまたは複数の他のデバイスに通信するためのリソースを要求するために前記ＢＳＲを基地局に送信するためのコードと
を備える、コンピュータ読取可能な媒体。
［Ｃ２７］
［００２７］
前記ＢＳＲは、前記デバイスの前記バッファに記憶された前記複数のメッセージの数を示すインジケーションを含む、Ｃ２６に記載のコンピュータ読取可能な媒体。
［Ｃ２８］
［００２８］
前記ＢＳＲは、前記デバイスの前記バッファに記憶された前記複数のメッセージの各々についてのメッセージタイプを含む、Ｃ２６に記載のコンピュータ読取可能な媒体。
［Ｃ２９］
［００２９］
前記ＢＳＲは、前記ＢＳＲにおいて論理チャネルグループ識別子を指定することに少なくとも部分的に基づいて前記メッセージタイプを示す、Ｃ２８に記載のコンピュータ読取可能な媒体。
［Ｃ３０］
［００３０］
前記ＢＳＲは、前記複数のメッセージの各々についてのターゲットレンジ、ターゲット伝送電力、ターゲット優先度、またはターゲットレイテンシのうちの少なくとも１つを含む、Ｃ２６に記載のコンピュータ読取可能な媒体。